(57)【要約】両面の、インデックス可能な、非ポジティブランピングインサート（１４）は、３次元ユークリッド空間の第１、第２および第３の軸（Ｘ、Ｙ、Ｚ）の各々の周りに１８０度回転シンメトリーを有する。ランピングインサート（１４）は、２つの第１の面（２４）と、それらの間を延伸するインサート周面（２６）を含む。ランピングインサート（１４）は、４つのカッティング部（３６）を含み、各々はメジャーカッティングエッジ（１６）と、コーナーカッティングエッジ（１８）を介してメジャーカッティングエッジ（１６）に横方向に接続されるワイパーエッジ（２０）と、第１の軸（Ｘ）に平行な視点において前記ワイパーエッジから横方向に延伸するランピングエッジ（２２）と、を含む。各周面（２６）は、４つの非ポジティブランピングレリーフ面（４６）を含み、各々は、それぞれのランピングエッジ（２２）から、第２および第３の軸（Ｙ、Ｚ）により定義される第１の正中面（ＸＰ）方向であって、第１正中面（ＸＰ）を超えない方向へ延伸する。【選択図】図１
2020517468.tif 000002
【特許請求の範囲】
【請求項１】
３次元ユークリッド空間の第１、第２および第３の軸（Ｘ、Ｙ、Ｚ）の各々の周りに１８０度の回転シンメトリーを有し、第２軸および第３軸（Ｙ、Ｚ）により定義される第１の正中面（ＸＰ）と、前記第１の軸および第３の軸（Ｘ、Ｚ）により定義される第２の正中面（ＹＰ）と、前記第１の軸および第２の軸（Ｘ、Ｙ）により定義される第３の正中面（ＺＰ）とを有し、前記ランピングインサート（１４）は、前記第１の正中面（ＸＰ）の対向側に位置する２つの第１の面（２４）と、前記第１の面（２４）間に延伸し、周辺エッジ（２８）で各第１の面（２４）と交差するインサート周面（２６）とを備え、各第１の面（２４）は、２つの高くした角部（１８ａ）と、２つの低くした角部（３８ａ）を備え、前記高くした角部は、前記低くした角部よりも前記第１の正中面（ＸＰ）からさらに遠くにあり、前記インサート周面（２６）は、２つの第２の面（３０）と、その間に延伸する２つの第３の面（３２）と、を備え、各第１の面（２４）は、２つの正確に対向するカッティング部（３６）を備える、両面の、インデックス可能な、非ポジティブランピングインサート（１４）において、各カッティング部（３６）は、
前記第１および第２のサーフェス（２４、３０）の交点に形成されたメジャーカッティングエッジ（１６）と、
前記高くした角部（１８ａ）の１つにあるコーナーカッティングエッジ（１８）と、前記コーナーカッティングエッジ（１８）を介して前記メジャーカッティングエッジ（１６）に接続されたワイパーエッジ（２０）と、を備え、
各カッティング部（３６）は、さらに、前記第１の軸（Ｘ）に平行な視点において、前記ワイパーエッジ（２０）から横方向に延伸するランピングエッジ（２２）をさらに備え、
各第３の面（３２）は、２つの非ポジティブランピングレリーフ面（４６）のみを備え、各ランピングレリーフ面（４６）は、それぞれのランピングエッジ（２２）から、前記第１の正中面（ＸＰ）方向であって、前記第１の正中面を超えない方向に、延伸する、両面の、インデックス可能な、非ポジティブランピングインサート。
【請求項２】
各第１の面（２４）において、第１のカッティング部（３６）の各ランピングエッジ（２２）は、マイナーコーナーエッジ（３８）を介して第２のカッティング部（３６）のメジャーカッティングエッジ（１６）に接続される、請求項１に記載のランピングインサート（１４）。
【請求項３】
前記第３の軸（Ｚ）に平行な視点において、各周辺エッジ（２８）において、各マイナーコーナーエッジ（３８）は、前記コーナーカッティングエッジ（１８）のいずれよりも、前記第１の正中面（ＸＰ）に近接して位置される、請求項２に記載のランピングインサート（１４）。
【請求項４】
前記第１の軸（Ｘ）に平行な視点において、各第１の面（２４）において、マイナーコーナーエッジ（３８）は、前記コーナーカッティングエッジ（１８）よりも前記第３の正中面（ＺＰ）に近接している、請求項１または２に記載のランピングインサート（１４）。
【請求項５】
前記第１の軸（Ｘ）に平行な視点において、前記ランピングエッジ（２２）は、前記第１の正中面（ＸＰ）と前記第３の面（３２）との間の交差線から少なくとも部分的に離間している、請求項１乃至４のいずれか一項に記載のランピングインサート（１４）。
【請求項６】
前記第１の軸（Ｘ）に平行な視点において、前記第１の正中面（ＸＰ）の手前に位置する前記第３の面（３２）のすべてのポイントは、可視であるか、または前記手前に位置する前記周辺エッジ（２８）に一致する、請求項１乃至５のいずれか一項に記載のランピングインサート（１４）。
【請求項７】
クランプ穴（３４）が、前記第１の面（２４）か、または前記対向する第２の面（３０）の間に延伸し、かつ前記第１の面（２４）または前記第２の面（３０）に向けて開口している、請求項１乃至６のいずれか一項に記載のランピングインサート（１４）。
【請求項８】
各第１の面（２４）が、前記第１の正中面（ＸＰ）に平行な第１のアバットメント面（４８）を備える、請求項１乃至７のいずれか一項に記載のランピングインサート（１４）。
【請求項９】
各第１の面（２４）が、前記第１の正中面（ＸＰ）を横切る第１のアバットメントサブサーフェス（４９）を備える、請求項１乃至８のいずれか一項に記載のランピングインサート（１４）。
【請求項１０】
各第２の面（３０）が、前記第２の正中面（ＹＰ）に平行な、平面の第２のアバットメント面（５０）を備える、請求項１乃至９のいずれか一項に記載のランピングインサート（１４）。
【請求項１１】
各第３の面（３２）が、前記第３の正中面（ＺＰ）に対して平行な平面の、第３のアバットメント面（５２）を備える、請求項１乃至１０のいずれか一項に記載のランピングインサート（１４）。
【請求項１２】
各第２の面（３０）が、２つのメジャーレリーフ面（３９）を備え、各メジャーレリーフ面（３９）は、前記第２の正中面（ＹＰ）を横切る、関連するメジャーカッティングエッジ（１６）から延伸する、請求項１乃至１１のいずれか一項に記載のランピングインサート（１４）。
【請求項１３】
各第３の面（３２）が、２つのワイパーレリーフ面（４２）を備え、各ワイパーレリーフ面（４２）は、関連するワイパーエッジ（２０）から、前記第１の正中面（ＸＰ）の方向に延伸するが、前記第１の正中面（ＸＰ）を超えて延伸しない、請求項１乃至１２にいずれか一項に記載のランピングインサート（１４）。
【請求項１４】
前記ワイパーレリーフ面４２間に延伸する第３のアバットメント面（５２）をさらに備えた、請求項１３に記載のランピングインサート（１４）。
【請求項１５】
各ランピングレリーフ面（４６）が、前記第３の正中面（ＺＰ）に垂直であるか、または前記第３の正中面（ＺＰ）に対して鋭角的な内部ランピングレリーフ角（β）を形成する、請求項１乃至１４のいずれか一項に記載のランピングインサート（１４）。
【請求項１６】
各第３の面（３２）が、それぞれのワイパーエッジから前記第１の正中面（ＸＰ）に向けて延伸するワイパーレリーフ面（４２）を備え、
前記同じ第３の面（３２）に属する前記ワイパーレリーフ面（４２）と前記ランピングレリーフ面（４６）は、同一平面上にはない、請求項１乃至１５のいずれか一項に記載のランピングインサート（１４）。
【請求項１７】
前記第１の軸（Ｘ）に平行な視点において、前記ワイパーエッジ（２０）を始点として、前記ランピングエッジ（２２）に沿って進むと、各連続するポイントは、その前のポイントよりも前記第３の正中面（ＺＰ）により近接して位置する、請求項１乃至１６のいずれか一項に記載のランピングインサート（１４）。
【請求項１８】
前記第１の軸（Ｘ）に平行な視点において、前記ランピングエッジ（２２）は、直線に見え、前記第３の正中面（ＺＰ）に対して鋭角的なランピング角（α）を形成する、請求項１乃至１７のいずれか一項に記載のランピングインサート（１４）。
【請求項１９】
前記ランピングエッジ（２２）が、連続的である、請求項１乃至１８のいずれか一項に記載のランピングインサート（１４）。
【請求項２０】
前記第２の正中面（ＹＰ）に平行な前記第３の面のいずれかの任意の断面において、前記第１の正中面（ＸＰ）から前記第３の面（３２）の一つに沿って進むと、各連続ポイントは、その前のポイントに対して、前記第３の正中面（ＺＰ）から同じ距離か、またはより近接して位置する、請求項１乃至１９のいずれか一項に記載のランピングインサート（１４）。
【請求項２１】
前記第３の正中面（ＺＰ）に平行な前記第２の面（３０）のいずれか１つの任意の断面において、前記第１の正中面（ＸＰ）から前記１つの第２の面（３０）に沿って進むと、各連続するポイントは、その前のポイントに対して、前記第２の正中面（ＹＰ）から同じ距離か、または前記第２の正中面（ＹＰ）に近接して位置する、請求項１乃至２０のいずれか一項に記載のランピングインサート（１４）。
【請求項２２】
前記メジャーカッティングエッジ（１６）は、前記ランピングエッジ（２２）より長く、前記ランピングエッジ（２２）は、前記ワイパーエッジ（２０）より長い、請求項１乃至２１のいずれか一項に記載のランピングインサート（１４）。
【請求項２３】
前記ランピングインサート（１４）は、前記第１、第２および第３の軸（Ｘ、Ｙ、Ｚ）の３つすべてに対して、少なくとも１８０度のカッティングエッジ回転シンメトリーを有する、請求項１乃至２２のいずれか一項に記載のランピングインサート（１４）。
【請求項２４】
前記回転シンメトリーは、非機能ジオメトリーに関連しない、請求項２３に記載のランピングインサート（１４）。
【請求項２５】
前記回転シンメトリーは、チップブレーキングまたは偏向面に関連しない、請求項２３に記載のランピングインサート（１４）。
【請求項２６】
前記ランピングインサート（１４）は、ワークピースの９０度ショルダーを正確にミリングするように構成されている、請求項１乃至２５のいずれか一項に記載のランピングインサート（１４）。
【請求項２７】
前記第１の軸（Ｘ）に平行な視点において、前記ランピングエッジ（２２）の任意のポイントに接する接線直線（Ｔ）は、前記第３の正中面（ＺＰ）に対して、２０度より小さい鋭角的なランピング角（α）を形成する、請求項１乃至２６のいずれか一項に記載のランピングインサート（１４）。
【請求項２８】
前記ワイパーエッジ（２０）から、前記ランピングエッジ（２２）に沿って進むと、前記ランピングエッジ（２２）は、前記第１の正中面（ＸＰ）近くで増大する、請求項１乃至２７のいずれか一項に記載ランピングインサート（１４）。
【請求項２９】
前記ランピングレリーフ面（４６）は、研磨されていない面を構成する、請求項１乃至２８のいずれか一項に記載のランピングインサート（１４）。
【請求項３０】
対向するマシニング端部およびカップリング端部（５６、５８）を有するランピングツール（１０）において、前記マシニング端部（５６）は、請求項１乃至２９のいずれか一項に記載されたランピングインサート（１４）を保持する少なくとも１つのポケット（１２）を備える、ランピングツール（１０）。
【請求項３１】
前記少なくとも１つのポケットは、
第２のポケットアバットメント面（６２、６４）に開口したねじ穴（６６）を有する第２のポケットアバットメント面（６２、６４）と、
前記第１のポケットアバットメント（６０）面から横方向に延伸する第１及び第３ポケットアバットメント面（６２、６４）と、
前記ポケット（１２）内の前記ランピングインサート（１４）をクランプするように構成されたクランプネジ（６８）と、
を備えた、請求項３０に記載のランピングツール（１０）。
【請求項３２】
前記カッティングインサートにおいて、
各第１の面（２４）は、前記第１の正中面（ＸＰ）を横切る、平面の第１のアバットメントサブサーフェス（４９）を備え、各第２の面（３０）は、前記第２の正中面（ＹＰ）に平行な、平面の第２のアバットメント面（５０）を備え、各第３の面（３２）は、前記第３の正中面（ＺＰ）に平行な平面の第３のアバットメント面（５２）を備え、クランプ穴（３４）が、対向する第１の面（２４）、または対向する第２の面（３０）の間に延伸し、かつ前記第１の面（２４）または前記第２の面（３０）に開口し、前記インサートの第１のアバットメント面（４８）は、前記第１のポケットアバットメント面（６２）に隣接し、前記インサートの第２のアバットメント面（５０）は、前記第２のポケットアバットメント面６０に隣接し、前記インサートの第３のアバットメント面（５２）は、前記第３のポケットアバットメント面（６４）に隣接し、
前記クランプネジ（６８）は、前記ネジ穴（６６）にねじ込まれ、前記クランプ内径（３４）に位置する、請求項３１に記載のランピングツール（１０）。
【発明の詳細な説明】
【技術分野】
【０００１】
この出願の主題は、ランピングツール(ramping tools)に関する。特に、ミリング(milling)、またはランピング(ramping)、ランピングカッティングエッジ(ramping cutting edge)を有するインサート(inserts)に関する。
【背景技術】
【０００２】
ＵＳ７２４１０８２は、ランピングカッティングエッジまたはランピング能力を含まない、一般的なミリングの分野からのインサートを開示する。ランピングインサートは、研磨された面(ground surfaces)をほとんど有さない。言い換えれば、ランピングインサートは、プレス・トゥ・サイズ(pressed-to-size)であり、カッティングエッジを含む全てのエッジが、研削の必要が無いように、十分正確にプレスされることを意味する。以下に説明するように、上述したプレス・トゥ・サイズの利点とは別に、プレス方法は、単一軸のみに沿ったダイス(dies)／モールド(molds)／パンチ(punches)移動を含む。特に、ＵＳ７５６００６８に開示されるようなスプリットダイメソッド(split die method)が使用されている。この単一軸タイプのプレス方法は、少ない数のダイス／パンチパーツを可能にし、製造工程の簡便さを増大し、それゆえ製造コストを大幅に削減する。以下に説明するように、周知のランピングインサートに対するランピング能力を可能にする、新しい特徴である組み合わせとジオメトリーを導入しながら、上述したこれらの利点が維持される。
【発明の概要】
【０００３】
この出願の第１の態様に従って、３次元ユークリッド空間の第１、第２および第３の軸の各々について１８０度回転シンメトリ(symmetry)を有する、両面の(double-sided)、インデックス可能な(indexable)、非ポジティブランピングインサート(non-positive ramping insert)と、第２および第３の軸により定義される第１の正中面(median plane)と、第１および第３の軸により定義される第２の正中面ＹＰと、第１および第２の軸により定義される第３の正中面と、が設けられ、ランピングインサートは、前記第１の正中面の対向側に配置された２つの第１の面と、前記２つの第１の面の間に延伸し、周辺エッジにおいて前記第１の面の各々と交差するインサート周面(insert peripheral surface)とを備え、各第１の面は、２つの高くした角部(raised corners)と２つの低くした角部(lowered corners)を備え、前記高くした角部は、前記低くした角部よりも前記第１の正中面から離間し、前記インサート周面は、２つの第２の面と、前記２つの第２の面の間に延伸する２つの第３の面であり、各第１の面は、正確に２つの対向するカッティング部を備え、各カッティング部は、前記第１の面と第２の面の交点に形成されたメジャーカッティングエッジ(major cutting edge)と、前記高くした角部の１つにおけるコーナーカッティングエッジと、前記コーナーカッティングエッジを介して前記メジャーカッティングエッジに接続されたワイパーエッジと、を備え、各カッティング部は、前記第１の軸に平行な視点においてワイパーエッジから横方向に延伸したランピングエッジを備え、各第３の面は、２つの非ポジティブランピングレリーフ(relief)面のみを備え、各ランピングレリーフ面は、それぞれのランピングエッジから前記第１の正中面方向へ延伸するが、前記第１の正中面を超えることはない。
【０００４】
この出願の主題の第３の態様に従って、対向するマシニングおよびカップリングエンド(machining and coupling ends)を有するランピングツールがさらに設けられ、前記マシニングおよび結合端は、ポケット(pocket)と、ポケット内に結合されたランピングインサートと、を備える。
【０００５】
以下の特徴のいずれもが、単独でまたは組み合わせて、この出願の主題の任意の上述した態様に適用可能である。各第１の面に、第１のカッティング部の各ランピングエッジは、マイナーコーナーエッジ(minor corner edge)を介して第２のカッティング部のメジャーカッティングエッジに接続される。各周囲エッジにおいて、各マイナーコーナーエッジは、どのメジャーコーナーエッジよりも第１の正中面により近接して位置する。各第１の面で、マイナーコーナーエッジは、コーナーカッティングエッジよりも、第１および第２の軸により定義された第３の正中面に近接している。第１の軸に平行な視点において、ランピングエッジは、第１の正中面と第３の面との間に形成された交線から、少なくとも部分的に離間している。第１の軸に平行な視点において、第１の正中面の手前に位置する第３の面のすべてのポイントは、目に見えるか、または視点に近接する周囲エッジと一致する。クランプホールは、複数の第１の面または複数の第２の面の間に延伸し、および第１の面または第２の面に開口している。
【０００６】
各第１の面は、第１の正中面に平行な第１のアバットメント(abutment)面を備える。各第１の面は、第１の正中面を横切る(transverse)第１のアバットメントサブサーフェス(abutment sub-surface)を含むことができる。各第２の面は、第１および第３の軸により定義された第２の正中面に平行な、平面の第２のアバットメント面を含むことができる。各第３の面は、第１および第２の軸により定義された第３の正中面に平行な、平面の第３のアバットメント面を含むことができる。各第２の面は、２つのメジャーレリーフ面を備え、各々は、関連するメジャーカッティングエッジから、前記第１および第３の軸により定義された第２の正中面を横方向に延伸している。各第３の面は、２つのワイパーレリーフ面(wiper relief surfaces)を備え、各々は、関連するワイパーエッジから第１の正中面方向へ延伸している。各第３の面は、それぞれのワイパーエッジから第１の正中面方向へ延伸するワイパーレリーフ面と、前記ワイパーレリーフ面間に延伸する第３のアバットメント面と、を含む。ワイパーレリーフ面は、非研磨面を構成することができる。各ランピングレリーフ面は、第１および第２の軸によって定義された第３の正中面に対して垂直か、または、内部ランピングレリーフ鋭角を形成する。各第３の面は、それぞれのワイパーエッジから第１の正中面の方へ延伸するワイパーレリーフ面を備え、前記ワイパーレリーフ面と、前記ランピングレリーフ面は、同一平面上にはない。
【０００７】
第１の軸に平行な視点において、ワイパーエッジを始点として、ランピングエッジに沿って進むと、各連続するポイントは、その前のポイントよりも、第１および第２の軸により定義された第３の正中面に近接して位置する。第１の軸に平行な視点において、ランピングエッジは、直線に見え、第１および第２の軸により定義された第３の正中面に対して鋭角的なランピング角を形成する。ランピングエッジは、連続的である。
【０００８】
第２の正中面は、第１および第３の軸により定義され、第３の正中面は、第１および第２の軸により定義され、第２の正中面に平行な任意の第３の面の任意の断面において、第１の正中面から各第３の面に沿って進むと、各連続するポイントは、その前のポイントに対して第３の正中面から同じ距離か、または近接して位置する。第２の正中面は、第１および第３の軸により定義され、第３の正中面は、第１および第２の軸により定義され、第３の正中面に平行な任意の第２の面の任意の断面において、第１正中面から各第２の面に沿って進むと、各連続するポイントは、その前のポイントに対して第２の正中面から同じ距離か、または、近接して位置する。
【０００９】
メジャーカッティングエッジは、ランピングエッジより長く、ランピングエッジは、ワイパーエッジより長い。ランピングインサートは、少なくとも１８０度のカッティングエッジ回転シンメトリー(rotational symmetry)を有する。回転シンメトリーは、機能しないジオメトリー(geometry)を含まない。回転シンメトリーは、チップブレーキング(chip breaking)および偏向面を含まない。
【００１０】
ランピングインサートは、ワークピース(workpiece)の９０度ショルダー(shoulder)を正確にミリングするように構成されている。第１軸に平行な視点において、ランピングエッジの任意の点に接している直線接線は、第３の正中面に対して２０度未満のランピング角を形成する。ワイパーエッジからランピングエッジに沿って進むと、ランピングエッジは、第１正中面への近接性を高める。各ポケットは、開口したネジ穴を有する第２のポケットアバットメント面と、第１のポケットアバットメント面から横方向に延伸する第１および第３のポケットアバットメント面と、およびポケット内のランピングインサートをクランプするように構成されたクランプネジと、を含むことができる。ランピングツールの組み立てられた位置において、第１のアバットメント面は、第１のポケットアバットメント面に隣接し(abuts)、第２のアバットメント面は第２のポケットアバットメント面に隣接し、第３のアバットメント面は、第３のポケットアバットメント面に隣接し、クランプネジは、ネジ穴にねじ山が付けられ、クランプ穴に位置するネジである。
【００１１】
この出願の主題のより良き理解のために、および実際にどのように実施されるかを示すために、添付図面が参照される。
適切と考えられる場合、適当な参照番号が、図面間で反復され、対応するまたは類似のエレメントを示すことができる。
【図面の簡単な説明】
【００１２】
【図１】図１は、接線ランピングインサートの等角投影図である。
【図２】図２は、図１のランピングインサートの第１の面の平面図である。
【図３】図３は、図１のランピングインサートの第３の面の平面図である。
【図４】図４は、開口しているクランプ穴を示す図１のランピングインサートの第２の面の平面図である。
【図５】図５は、第１の面に開口したクランプ穴を示す、図１のランピングインサートの放射状(radial)の実施形態の等角投影図である。
【図６】図６は、組み立てられた位置内のポケットに固定された、図１のランピングインサートの他の実施形態を有するランピングツールの等角投影図である。
【図７】図７は、図６のランピングツールの側面図である。
【図８】図８は、図６のランピングツールの軸方向底面図である。
【図９】図９は、図６のランピングツールの第３の面の平面図である。
【図１０】図１０は、ランピングレリーフ面とワイパーレリーフ面の上を通る図９の線X-Xに沿って切り取られた断面図である。
【発明を実施するための形態】
【００１３】
以下の説明において、この出願の主題の種々の態様が記載される。説明のために、特定の構成と詳細が十分詳細に記載され、この出願の主題の完全な理解が提供される。しかしながら、ここに提示された特別の構成と詳細無しに、この出願の主題が、実施できることは、当業者に理解されるであろう。
【００１４】
図１および６に着目する。ランピングツール１０は、複数のポケット１２と、ポケットに固定されたランピングインサート１４を含む。ランピングインサート１４とランピングツール１０は、ワークピース内の（所望の許容度内の）９０度ショルダーを正確にミリングするように構成される。ランピングインサート１４は、それゆえ、少なくとも、メジャーカッティングエッジ１６、コーナーカッティングエッジ１８、ワイパーエッジ、およびランピングエッジ２２のオペレーショナルエッジ(operational edge)を含む。
【００１５】
ランピングインサート１４は、バインダー(binder)中の炭化物粉末のプレス成形および焼結により、超硬合金のような、典型的に、極めて硬く、耐摩耗性材料から作られる。超硬合金は、例えば、炭化タングステンであり得る。ランピングインサート１４は、コーティングされてもよいし、コーティングされなくてもよい。
【００１６】
図１乃至４に着目する。ランピングインサート１４は、３次元ユークリッド空間の第１、第２および第３の軸X、Y、Zの各々について１８０度回転シンメトリーを有する。回転シンメトリーは、少なくともマシニング、またはランピングインサート１４のオペレーショナルエッジ(operational edge)に関連する。ランピングインサート１４は、第２および第３の軸Ｙ、Ｚにより定義される第１の正中面ＸＰ、第１および第３の軸X、Zにより定義される第２の正中面ＹＰ、および第１および第２の軸Ｘ、Ｙにより定義される第３の正中面ＺＰを有する。ランピングインサート１４は、前記軸に対して少なくとも１８０度回転シンメトリーを有する。例えば、ランピングインサート１４は、前記いずれの軸に対しても９０度シンメトリーを有さない。前記回転シンメトリーは、ランピングエッジ２２、コーナーカッティングエッジ１８、ワイパーエッジ２０およびメジャーカッティングエッジ１６のような、少なくとも機能マシニングジオメトリー(functional machining geometry)に関連する。例えば、カッティングエッジ表示／マーキング（連続）数のようないくつかの機能的特徴は、前記回転シンメトリーに含まれない。前記回転シンメトリーは、さらに、例えば、ランピングインサート１４のカラーリング(coloring)のような非機能ジオメトリーを含まないか、あるいは関連する。さらに、前記回転シンメトリーは、必ずしもチップブレーキング面(chip breaking surface)または偏向面を含まない。
【００１７】
ランピングインサート１４は、第１の正中面ＸＰの反対側に位置する、２つの同一の、第１の面２４を有する。各第１の面２４は、２つの高くした角部１８ａと、２つの低くした角部３８ａとを有し、高くした角部１８ａは、低くした角部３８ａよりも第１の正中面ＸＰからさらに離間している。ランピングインサート１４は、第１の複数の面２４間に延伸する、インサート周面２６を有する。インサート周面２６は、周辺エッジ２８において各第１の面２４と交差する。各インサート周面２６は、第２の正中面ＹＰの反対側に位置する、２つの第２の面３０を含む。インサート周面２６は、さらに、第３の正中面ＺＰの反対側に位置する２つの第３の面３２をさらに含む。各第３の面３２は、２つの第２の面３０間に延伸する。ランピングインサート１４は、２つの第１の面２４（図１−４）、または２つの第２の面３０（図５）に延伸し、第１の面２４、または第２の面３０に開口した、クランプ穴３４を有する。
【００１８】
図４および図９−１０に着目する。ランピングインサート１４は、インデックス可能な(indexable)、両面(double-sided)で、非ポジティブ(non-positive)である。「非ポジティブ」という用語は、ランピングインサート１４が、（鋭角的なレリーフ角のような）任意のポジティブジオメトリーを有さず、それゆえ、（この分野でネガティブインサートとして知られる）ネガティブストラクチャー／フォーム、および／またはポジティブストラクチャーとして知られるものの反対であるストラクチャーを有する。言い換えれば、第１の正中面XPから垂直方向に、第２または第３の面３０、３２に沿って進むと、第２および第３の面３０、３２は、それぞれ第２または第３の正中面ＹＰ、ＺＰから外側に延伸しない。言い換えれば、および下記にさらに詳細に述べるように、周辺エッジ２８から延伸するレリーフ面は、第２または第３の正中面ＹＰ、ＺＰ（例えば、直角または鋭い内角のみ）に対して、（ランピングインサート１４内で、内部的に測定された）、鈍角の内角を形成する。ランピングインサート１４の製造中に、フォームプレスプロセス(form-pressing process)が完了すると、現在の新しいジオメトリーは、第１の正中面ＸＰにおいて分割する(splits)分割ダイセット(a splitting die set)からフォームプレスされた（脆い）グリーンボディ(green body)の、容易で、効率的で、信頼度の高い抽出を保証する。
【００１９】
それゆえ、第３の正中面ＺＰに平行な第２の面３０の任意の断面において、第１の正中面ＸＰから進むと、第２の面３０の各連続するポイントは、その前のポイントよりも、第２の正中面ＹＰから同じ距離で、またはより近接して位置する。さらに、（図９および１０に見られるように）第２の正中ＹＰPに平行な第３の面３２の任意の断面において、第１の正中面XPから進むと、第３の面３２の各連続するポイントは、その前のポイントよりも、第３の正中面ZPから同じ距離か又はそれより近接して位置する。ランピングインサート１４は、正確に４つのカッティング部位３６を有する。各第１の面２４は、正確に２つの対角線的に対向するカッティング部位３６を有する。各カッティング部位３６は、高くした角部１８ａに近接したそれぞれの周辺エッジ２８に位置する４つのエッジを含む。すなわち、メジャーカッティングエッジ１６と、コーナーカッティングエッジ１８を介してメジャーカッティングエッジ１６に接続されたワイパーエッジ２０と、ランピングカッティングエッジ、またはランピングエッジ２２と、を含む。各コーナーカッティングエッジ１８は、第１の正中面ＸＰから、コーナーカッティングエッジ１８の最も高い、または最も遠い部位である、カッティングコーナー頂部１９を有する。ランピングエッジ２２は、ワイパーエッジ２０から、（第１の軸Xに平行な視点において）横方向に延伸する。ワイパーエッジ２０とランピングエッジ２２は、同一線上にはない。メジャーカッティングエッジ１６は、ランピングエッジ２２より長い。ランピングエッジ２２は、ワイパーエッジ２２より長い。図２および３に見られるように、ランピングエッジ２２は、第２の正中面YPの両側に延伸する。いくつかの実施形態において、ランピングエッジ２２は、対向する２つの面３０間で測定されたインサート幅Wの５％と５０％との間に、第２の軸Yに沿って延伸することができる。
【００２０】
低くした角部１８ａにおいて、各第１の面２４は、正確に２つの対角的に対向するマイナーコーナーエッジ３８を含み、各マイナーコーナーエッジ３８は、すべての２つのカッティング部位３６の間に延伸する。すべてのマイナーコーナーエッジは、最も高い、または、第１の正中面ＸＰから最も遠い、マイナーコーナーエッジ３８の部位であるマイナーコーナー頂部３７を有する。マイナーコーナーエッジ３８は、コーナーカッティングエッジ１８よりも第１正中面ＸＰに近接して位置する。マイナーコーナー頂部３７は、コーナーカッティング頂部１９よりも第１正中面ＸＰにより近接して位置する。さらに、すべての第１の面２４上において、マイナーコーナーエッジ３８は、（第１の軸Xに平行な視点において）コーナーカッティングエッジ１８よりも、第３の正中面ＺＰに近接している。その上さらに、第１の面２４において、マイナーコーナー頂部３７は、（第１の軸Ｘに平行な視点において）コーナーカッティングエッジ１８よりも第３の正中面ＺＰに近接している。すべての第１の面２４において、１つのカッティング部位３６の各ランピングエッジ２２は、マイナーコーナーエッジ３８を介して、隣接するカッティング部位３６のメジャーカッティングエッジに接続されている。
【００２１】
メジャーカッティングエッジ１６、コーナーカッティングエッジ１８、及びランピングエッジ２２は、ワークピースから材料を取り除くように構成されたすべてのシャープカッティングエッジである。それに反して、ワイパーエッジ２０は、ワークピースから材料を取り除くように構成されておらず、また取り除くことができず、むしろワイピング(wiping)を実施し、及び／又はオペレーションをスムーズにして、ワークピースの表面仕上げを改善する。さらに、マイナーコーナーエッジ３８は、また任意のタイプのマシニング用には構成されておらず、それらは、非鋭利であり、ワークピースから材料を取り除くことができない。
【００２２】
各メジャーカッティングエッジ１６は、各第１の面２４と第２の面３０との間の交点に形成される。各第２の面３０は、メジャーカッティングエッジ１６から第１の正中面XP方向へ延伸するメジャーレリーフ面３９を有する。各第１の面２４は、メジャーカッティングエッジ１６から第１の正中面YP方向へ延伸するメジャーレーキ面(rake surface)４０を有する。各メジャーカッティングエッジ１６は、マイナーコーナーエッジ３８とコーナーカッティングエッジ１８との間に延伸する。図４に最もよくみられるように、第２の軸Yに平行な第２の面３０の視点において、メジャーカッティングエッジ１６は、コーナーカッティングエッジ１８から隣接するマイナーコーナーエッジ３８にかけて、第１の正中面XPの方向へ傾斜している。別の言い方をすれば、メジャーカッティングエッジ１６は、第１の正中面XPに対して横方向に延伸している。
【００２３】
各ワイパーエッジ２０は、第１の面２４と第３の面３２との間の交点に形成される。ワイパーエッジ２０は、メジャーカッティングエッジ１６に対して横方向に延伸する。コーナーカッティングエッジ１８は、メジャーカッティングエッジ１６を、ワイパーエッジ２０と接続する。各第３の面３２は、ワイパーエッジ２０から第１の正中面XP方向へ延伸するワイパーレリーフ面４２を有する。ワイパーレリーフ面４２は、第１の正中面XPに対して垂直であり得る。図２に示されるように、第１の軸Xに平行である視点からランピングインサート１４を見ると、ワイパーレリーフ面４２は、直線として見えることができる。各第１の面２４は、ワイパーエッジ２０から延伸するワイパー面４４を有する。
【００２４】
各ランピングエッジ２２は、第１の面２４と、第３の面３２との間の交点にも形成される。第１の軸Xに平行な視点において、ランピングエッジ２２は、ワイパーエッジ２０から横方向に延伸し、第３の正中面ZPに対して鋭角的なランピング角度を形成することができる。言い換えれば、ワイパーエッジ２０からランピングエッジ２２に沿って進むと、ランピングエッジ２２は、第３の正中面ＺＰ近くで増大する。一般的に言うと、第１の軸Xに平行な視点において、ランピングエッジ２２の任意のポイントに接している直線接線Ｔは、第３正中面ＺＰに対してランピング角度を形成する。ランピング角度は、０と２０度の間の値を受け取る。
【００２５】
図３に示すように、各第３の面３２は、ランピングエッジ２２から、第１の正中面XPの方向であって、第１の正中面XPを超えることなく延伸するランピングレリーフ面４６を含む。ランピングレリーフ面４６は、（図３および４に示されるように）第１の面XPに対して垂直であり得る。二者択一的に、ランピングレリーフ面４６は、（図１０の断面図に見られるように）第３の面ZPに対して鋭角的な内部ランピングレリーフ角度βを形成することができる。ワイパーレリーフ面４２とランピングレリーフ面４６は、同一平面上にはない。
【００２６】
この有利なジオメトリーは、ある図、特に、図１および２において何が可視であるかという観点から記載することができる。例えば、ランピングインサート１４を、第１の軸Xに平行な視点から見ると、視点（すなわち、図２の前景）により近いランピングレリーフ面４６のみが前記視点において見える。別の例では、前記視点において、第１の正中面XPの、視点から最も遠い側に位置するランピングレリーフ面４６が見える。さらに、同じ視点において、第１の正中面XPの手前（すなわち、図２の前景）に位置する第３の面３２のすべてのポイントは、見えるかまたは周辺エッジ２８の可視部位と一致する。さらに別の例において、前記視点において、各ランピングエッジ２２は、（例えば、図２に見られるアバットメント面５２に沿った、および下記に記載される）第１の正中面XPと第３の面３２との間の交線LIから少なくとも部分的に離間している。
【００２７】
上述したランピングレリーフ面ジオメトリー、すなわち、各ランピングレリーフ面４６は、第１の面XPを超えて(past)延伸せず、インサートは、すべてのカッティングエッジに対して非ポジティブなジオメトリーを有するという事実により、グリーンボディ(green body)上（特に第３の面３２上）にアンダーカットを形成することなく２分割ダイ(two-part die)でプレスすることができる。また、このインサート上の各ランピングレリーフ面４６は、研磨されていない(non-ground)ランピングレリーフ面、すなわち、その形状がプレスと焼結により決定され、その後の研磨を伴わない、ランピングレリーフ面である。そのような研磨されていないランピングレリーフ面は、一般的に、研磨された面の表面粗さより明らかに大きな表面粗さを有する。（ランピングレリーフ面４６と、任意の他のジオメトリー、または第３の面ＺＰに必ずしも平行ではない、第３の面３２のサブサーフェスを形成するように設計された）ダイの少なくとも一部が、ダイ分割ライン（またはこのラインを横切る平面XP）を延伸するシナリオでは、（コーナーのような）望ましくないジオメトリーを本質的に含み、以下の成形プレスに関連する問題を少なくとも引き起こすので、第１の面ＸＰの一方側に対するランピングレリーフ面４６の制限に関連する上述の制約は、重要である。（ａ）エッジと表面精度を妨げる（ｂ）（勾配(grads)／必要以上のジオメトリーにつながる可能性がある）電力漏れ（ｃ）ダイ製作のコストの上昇ダイセットマッチング(die-sets-matching)の反復性を妨げる（ｄ）一般的にプロセスの信頼性を低下させる。
【００２８】
各第１の面２４は、複数のメジャーレーキ面４０間に延伸する第１のアバットメント面（図１、６、８）４８を含むことができる。第１のアバットメント面４８は、平面であり得、（図１および２に示される）第１の正中面ＸＰに平行に配向されることができる。第１のアバットメント面（図６および８）は、第１の正中面ＸＰから外側に向かって収束する２つの第１のアバットメントサブサーフェス４９(abutment sub-surfaces)４９を含むことができる。
【００２９】
各第２の面３０は、複数のメジャーレリーフサーフェス３９間に延伸する第２のアバットメント面５０を含むことができる。第２のアバットメント面５０は、平面であり得、第２の正中面ＹＰに平行に配向されることができる。
【００３０】
各第３の面３２は、第２の面３０間に延伸する第３のアバットメント面５２を含む。第３のアバットメント面５２は、平面であり得、第３の正中面ＺＰに平行に配向されることができる。各第３のアバットメント面５２は、複数のワイパーレリーフ面４２間に延伸することができる。いくつかの実施形態によれば、各第３のアバットメント面５２、および隣接するワイパーレリーフ面４２は、同一平面上にある。第３のアバットメント面５２は、常にランピングエッジ２２から離間している。
【００３１】
第１、第２、および第３のアバットメント面４８、５０、５２は、研磨して台座(seating)を強化することができる。しかしながら、上述したように、第３のアバットメント面５２と同じ第３の面３２にあるランピングレリーフ面４６は、研磨されない面を構成することができる。
【００３２】
図６乃至８に着目する。ランピングツール１０は、細長いボディー５４またはシャンク(shank)を有し、ツール軸Ｒの周りを回転する。ランピングツール１０は、対向するカップリングおよびマシニング端部５６、５８を有する。（例えば、図６乃至８に示される）いくつかの実施形態によれば、ポケット１２は、ツール軸Ｒの周りのマシニング端部５８に（後述するように）接線方向に配列されている。
【００３３】
各ポケット１２は、第２のポケットアバットメント面６０と、第２のポケットアバットメント面６０に横方向に延伸する第１および第３のポケットアバットメント面６２、６４と、を有する。
【００３４】
第２のポケットアバットメント面６０は、クランプネジ６８を受け入れるように開口した雌ネジ穴６６を有する。現在の正接例(tangential example)（図７）によれば、第２のポケットアバットメント面６０は、回転軸Ｒから離れた方向に向いている。いくつかの「ライトハンド(right hand)」ランピングツール（図８）によれば、第１のポケットアバットメント面６２は、カップリング端部から、右回転方向に面し、第３のポケットアバットメント面６４は、カップリング端部５６から回転軸Ｒに平行な方向に面している。
【００３５】
組み立てられた位置において、ランピングインサート１４は、ポケット１２に据え付けられ(seated)、クランプネジ６８は、クランプ穴３４内部に取り付けられ、ポケット１２内のネジ穴６６にねじ込まれる。組み立てられた位置において、クランプとネジ穴３４、６６は、偏心しているため、ネジが（締め付けられたとき）ランピングインサート１４を、第１および第３のアバットメント壁に向かって押し付けることができる。
【００３６】
組み立てられた位置において、第１のアバットメント面４８は、第１のポケットアバットメント面６２に隣接し、第２のアバットメント面５０は、第２のポケットアバットメント面６０に隣接し、第３のアバットメント面は、第３のポケットアバットメント面６４に隣接する。
【図１】
2020517468.tif 000003
【図２】
2020517468.tif 000004
【図３】
2020517468.tif 000005
【図４】
2020517468.tif 000006
【図５】
2020517468.tif 000007
【図６】
2020517468.tif 000008
【図７】
2020517468.tif 000009
【図８】
2020517468.tif 000010
【図９】
2020517468.tif 000011
【図１０】
2020517468.tif 000012
【国際調査報告】
2020517468.tif 000013
2020517468.tif 000014
2020517468.tif 000015